(57)【特許請求の範囲】
【請求項１】
拡径状態にあるホースクランプをホースの端部に仮保持する保持具であって、上記ホースクランプが有する締付リングを装着する本体部と、該本体部に開閉可能に連設される腕部と、閉状態にある腕部を本体部側にロックするロック手段とを備え、上記腕部は、本体部にヒンジを介して連設される基板と、該基板に連設されてホースの外周面を抱持する抱持片とを有する一方、本体部にホースの端面に当接する位置決め片を設けると共に、腕部の抱持片にもホースの端面に当接する位置決め片を設けたことを特徴とするホースクランプの保持具。
【請求項２】
拡径状態にあるホースクランプをホースの端部に仮保持する保持具であって、上記ホースクランプが有する締付リングを装着する本体部と、該本体部に開閉可能に連設される腕部と、閉状態にある腕部を本体部側にロックするロック手段とを備え、上記腕部は、本体部にヒンジを介して連設される基板と、該基板に連設されてホースの外周面を抱持する抱持片とを有する一方、腕部の基板に連設される抱持片は、その基端側では腕部の閉状態においてホースの中心方向に向って一旦立ち上がり、そこから自由端側に向ってホースの外周面を抱持する円弧形状となっていることを特徴とするホースクランプの保持具。
【請求項３】
拡径状態にあるホースクランプをホースの端部に仮保持する保持具であって、上記ホースクランプが有する締付リングを装着する本体部と、該本体部に開閉可能に連設される腕部と、閉状態にある腕部を本体部側にロックするロック手段とを備え、上記腕部は、本体部にヒンジを介して連設される基板と、該基板に連設されてホースの外周面を抱持する抱持片とを有する一方、本体部は、巾広部分と巾狭部分とから成り、腕部の閉状態では、腕部の抱持片が上記巾狭部分に位置することを特徴とするホースクランプの保持具。
【請求項４】
ロック手段は、本体部側に設けられた第一ロック爪と、腕部の基板側に設けられた第一ロック孔とから成り、該第一ロック孔の近傍における基板の先端部側に操作片を設けたことを特徴とする請求項１乃至請求項３のいずれかに記載のホースクランプの保持具。
【請求項５】
本体部側の第一ロック爪よりもヒンジ寄りに第二ロック爪を設けると共に、腕部の基板側に該第二ロック爪と係合する第二ロック孔を設け、上記第二ロック爪の先端部にヒンジ方向に湾曲する鉤形状を付与したことを特徴とする請求項４記載のホースクランプの保持具。
【発明の詳細な説明】
【技術分野】
【０００１】
本発明は、拡径状態にあるホースクランプをホースの正規取付位置に仮保持する保持具に関するものである。
【背景技術】
【０００２】
従来のこの種保持具は、具体的には図示しないが、合成樹脂の一体成形品で、拡径状態にあるホースクランプを装着する半円弧状の装着部と、ホースの端部に外嵌される円弧状の外嵌部とから成り、前者の装着部は、その側縁にホースの端面に当接する位置決め片を延設すると共に、内周面にホースクランプの締付リングに形成された三角窓に係止する係止突起を突設し、後者の外嵌部は、その円弧形状の頂部に割溝を形成すると共に、内周面にホースの外周面に食い込む複数の食い込み爪を一定の間隔をおいて中心方向に向って突設する構成となっている（例えば、特許文献１参照）。
【０００３】
そして、実際の使用に際しては、拡径状態にあるホースクランプを保持具の半円弧状を呈する装着部内に装着すると、係止突起がホースクランプの締付リングの三角窓に係止して、ホースクランプは、装着部に対して回り止めと軸方向への位置ズレが規制された状態に置かれることとなる。そこで、今度は、斯かる状態のまま、装着部の位置決め片がホースの端面に当接するまで、保持具の外嵌部をホースの端部に外嵌すると、これにより、ホースクランプが保持具を介してホース端部の正規取付位置に仮保持されると同時に、外嵌部に突設された複数の食い込み爪がホース端部の外周面に食い込むので、ホースクランプは、ホースに対して回り止めされた状態に置かれる。
【０００４】
従って、後は、ホースの端部内にパイプの先端部を嵌め込んだ状態を得て、ホースクランプの拡径状態を解除すれば、これにより、ホースクランプの締付リングが自身の復元力で縮径して、ホースをパイプに対して締付固定することとなる。この為、ホースクランプは、自動的に、ホースの正規取付位置でホースを締付固定できるので、常に、均等な締付固定状態が保障される。
【特許文献１】特開２０００−２４９２７４号公報
【発明の開示】
【発明が解決しようとする課題】
【０００５】
然し乍ら、従来の保持具の下では、例え、その円弧状を呈する外嵌部の頂部に割溝を形成して、当該外嵌部を拡開変形可能となしていると雖も、外嵌部の内周面には中心方向に向う複数の食い込み爪が突設されている関係で、保持具の外嵌部をホースの端部に外嵌する場合には、この複数の食い込み爪の存在が邪魔をして、外嵌作業が徒に大変となる嫌いがあった。
【課題を解決するための手段】
【０００６】
本発明は、斯かる従来の保持具が抱える課題を有効に解決するために開発されたもので、請求項１記載の発明は、拡径状態にあるホースクランプをホースの端部に仮保持する保持具であって、上記ホースクランプが有する締付リングを装着する本体部と、該本体部に開閉可能に連設される腕部と、閉状態にある腕部を本体部側にロックするロック手段とを備え、上記腕部は、本体部にヒンジを介して連設される基板と、該基板に連設されてホースの外周面を抱持する抱持片とを有する一方、本体部にホースの端面に当接する位置決め片を設けると共に、腕部の抱持片にもホースの端面に当接する位置決め片を設けたことを特徴とする。
【０００７】
請求項２記載の発明は、拡径状態にあるホースクランプをホースの端部に仮保持する保持具であって、上記ホースクランプが有する締付リングを装着する本体部と、該本体部に開閉可能に連設される腕部と、閉状態にある腕部を本体部側にロックするロック手段とを備え、上記腕部は、本体部にヒンジを介して連設される基板と、該基板に連設されてホースの外周面を抱持する抱持片とを有する一方、腕部の基板に連設される抱持片は、その基端側では腕部の閉状態においてホースの中心方向に向って一旦立ち上がり、そこから自由端側に向ってホースの外周面を抱持する円弧形状となっていることを特徴とする。
【０００８】
請求項３記載の発明は、拡径状態にあるホースクランプをホースの端部に仮保持する保持具であって、上記ホースクランプが有する締付リングを装着する本体部と、該本体部に開閉可能に連設される腕部と、閉状態にある腕部を本体部側にロックするロック手段とを備え、上記腕部は、本体部にヒンジを介して連設される基板と、該基板に連設されてホースの外周面を抱持する抱持片とを有する一方、本体部は、巾広部分と巾狭部分とから成り、腕部の閉状態では、腕部の抱持片が上記巾狭部分に位置することを特徴とする。
【０００９】
請求項４記載の発明は、請求項１乃至請求項３を前提として、ロック手段は、本体部側に設けられた第一ロック爪と、腕部の基板側に設けられた第一ロック孔とから成り、該第一ロック孔の近傍における基板の先端部側に操作片を設けたことを特徴とする。
【００１０】
請求項５記載の発明は、請求項４を前提として、本体部側の第一ロック爪よりもヒンジ寄りに第二ロック爪を設けると共に、腕部の基板側に該第二ロック爪と係合する第二ロック孔を設け、上記第二ロック爪の先端部にヒンジ方向に湾曲する鉤形状を付与したことを特徴とする。
【発明の効果】
【００１２】
依って、請求項１記載の発明にあって、保持具の本体部にホースクランプの締付リングを装着する状態を得て、当該ホースクランプを保持具と一緒にホースの端部に外嵌する時には、ホースの外周面を抱持する抱持片を有する腕部をヒンジを介して本体部に対して開状態に置けば、従来とは異なり、当該腕部の存在が邪魔となることが全くなくなるので、外嵌作業が頗る容易となる。但し、保持具を介してホースクランプをホース端部の正規取付位置に仮保持する時には、腕部の基板をヒンジを介して閉状態において、ロック手段により本体部側にロックすれば、これにより、ホースクランプは、ホースの端部に対して仮保持される。
又、ホースクランプを保持具と一緒にホースの端部に外嵌する時には、本体部と腕部の抱持片とに設けられた各位置決め片がホースの端面に当接するので、ホースクランプをホース端部の正規取付位置に確実に位置決めできる。
【００１３】
請求項２記載の発明にあっても、保持具の本体部にホースクランプの締付リングを装着する状態を得て、当該ホースクランプを保持具と一緒にホースの端部に外嵌する時には、ホースの外周面を抱持する抱持片を有する腕部をヒンジを介して本体部に対して開状態に置けば、従来とは異なり、当該腕部の存在が邪魔となることが全くなくなるので、外嵌作業が頗る容易となる。但し、保持具を介してホースクランプをホース端部の正規取付位置に仮保持する時には、腕部の基板をヒンジを介して閉状態において、ロック手段により本体部側にロックすれば、これにより、ホースクランプは、ホースの端部に対して仮保持される。
又、抱持片の立ち上がった基端側で、ホースの外周面をその中心方向に向って挾持することができるので、ホースクランプは、回り止めと軸方向への位置ズレが規制された状態をもって、ホースの端部に確実に仮保持されることとなる。
【００１４】
請求項３記載の発明にあっても、保持具の本体部にホースクランプの締付リングを装着する状態を得て、当該ホースクランプを保持具と一緒にホースの端部に外嵌する時には、ホースの外周面を抱持する抱持片を有する腕部をヒンジを介して本体部に対して開状態に置けば、従来とは異なり、当該腕部の存在が邪魔となることが全くなくなるので、外嵌作業が頗る容易となる。但し、保持具を介してホースクランプをホース端部の正規取付位置に仮保持する時には、腕部の基板をヒンジを介して閉状態において、ロック手段により本体部側にロックすれば、これにより、ホースクランプは、ホースの端部に対して仮保持される。
又、本体部は、巾広部分と巾狭部分とから成り、腕部の閉状態では、腕部の抱持片が上記巾狭部分側に位置するので、保持具自体をコンパクト化することが可能となる。
【００１５】
請求項４記載の発明にあっては、第一ロック孔の近傍における基板の先端部側に設けられた操作片を摘んで、本体部側の第一ロック爪を腕部の基板側に設けられた第一ロック孔に係合させることができるので、腕部を本体部側に確実且つ容易にロックすることが可能となる。
【００１６】
請求項５記載の発明にあっては、本体部側の第一ロック爪と第二ロック爪とが、夫々、腕部の基板側に設けられた対応する第一・第二ロック孔に係合するので、例え、ヒンジが破断しても、第一ロック爪と第二ロック爪とが協働して、腕部の脱落を有効に防止することができる。又、第二ロック爪は、第一ロック爪よりもヒンジ寄りに設けて、その先端部にヒンジ方向に湾曲する鉤形状を付与されている関係で、ヒンジ寄りで、第二ロック爪が第二ロック孔により強固に係合するので、ヒンジが破断しても、腕部の脱落を一層確実に防止することができる。
【発明を実施するための最良の形態】
【００１８】
本発明は、拡径状態にあるホースクランプをホースの端部に仮保持する保持具を前提として、上記ホースクランプが有する締付リングを装着する本体部と、該本体部に開閉可能に連設される腕部と、閉状態にある腕部を本体部側にロックするロック手段とを備え、上記腕部は、本体部にヒンジを介して連設される基板と、該基板に連設されてホースの外周面を抱持する抱持片とを有することにより、ホースの外周面を抱持する抱持片を有する腕部をヒンジを介して開状態に置くことを可能として、ホース端部への外嵌作業時に、当該腕部の存在が邪魔となることを有効に防止せんとするものである。
【実施例】
【００１９】
以下、本発明を図示する好適な実施例に基づいて詳述すれば、該実施例に係る保持具は、従来と同様に、合成樹脂の一体成形品で、拡径状態にあるホースクランプをホース端部の正規取付位置に仮保持するものとして開発されたものであるが、特徴とするところは、図１乃至図３に示す如く、ホースクランプが有する締付リングを装着する本体部１と、該本体部１の両側に開閉可能に連設される一対の腕部２と、閉状態にある腕部２を本体部１側にロックするロック手段とを備え、上記の各腕部２は、本体部１に薄肉ヒンジ３を介して連設される基板４と、該基板４に連設されてホースの外周面を抱持する２本の抱持片５とを有する点にある。
【００２０】
そして、本体部１は、上面側が開放された断面半円弧状を呈して、その中央部に位置する巾広部分１ａと該巾広部分１ａの両側部に位置する一対の巾狭部分１ｂとから成り、前者の巾広部分１ａは、その軸方向の下端にホースの端面に当接する位置決め片６を立設し、後者の各巾狭部分１ｂは、その開放端寄りの外周面に上記ロック手段を構成する第一ロック爪７を設けると共に、薄肉ヒンジ３寄りの外周面に第二ロック爪８を設け、且つ、一方の巾狭部分１ｂの内周面にホースクランプの締付リングが有する三角窓と係止する係止突起９を突設する構成となっている。尚、特に、第二ロック爪８に関しては、図示する如く、その先端部に薄肉ヒンジ３方向に湾曲する鉤形状を積極的に付与するものとする。
【００２１】
一対の腕部２は、左右対称の関係をもって配置されて、その基板４は、上記本体部１の巾広部分１ａと略同巾な断面円弧状を呈し、中間部側に上記第一ロック爪７と一緒にロック手段を構成して該第一ロック爪７を係合する第一ロック孔１０を穿設すると共に、薄肉ヒンジ３側に上記第二ロック爪８を係合する第二ロック孔１１を穿設し、且つ、第一ロック孔１０の近傍における基板４の先端部側に操作片１２を一体に連続して設け、２本の抱持片５は、対応する基板４の内周面の第一ロック孔１０の近傍における両側に連設されて、その基端５ａ側では腕部２の閉状態においてホースの中心方向に向って一旦立ち上がり、そこから自由端側に向ってホースの外周面を弾性的に抱持できる円弧形状となっていると共に、上記本体部１側の位置決め片６と同一側に存する各抱持片５の先端部に同じくホースの端面に当接する位置決め片１３を連設する構成となっている。
【００２２】
ロック手段は、既述した如く、本体部１側の第一ロック爪７と腕部２の基板４側の第一ロック孔１０から構成されて、上記した各基板４の操作片１２を摘んで、一対の腕部２に連設された基板４を薄肉ヒンジ３を介して閉方向へ回動させることにより、図４に示す如く、第一ロック爪７と第一ロック孔１０の係合で、各腕部２を本体部１側にワンタッチでロックできる構成となっており、しかも、各腕部２の閉状態では、各腕部２の抱持片５が本体部１の巾狭部分１ｂ側に位置するように設定してあるので、保持具自体をコンパクト化することが可能となる。又、第一ロック爪７が第一ロック孔１０に係合する時には、先端部に付与されたその鉤形状を利用して、上記した第二ロック爪８も対応する第二ロック孔１１に強固に係合するものとする。
【００２３】
尚、当該保持具の本体部１内に装着されるホースクランプＣは、図５に示す如く、金属帯板でＣ字状に曲成されて周面に三角窓２６を有する締付リング２１と、該締付リング２１の両端部から交差して半径方向外方に突出する一対のグリップ２２・２３とから成り、締付リング２１が自由状態で縮径した時には、ホースの締め付けを可能とし、一対のグリップ２２・２３を互いに接近させた時には、締付リング２１が拡径する構成となっているが、ここでは、一方のグリップ２２側に設けられた係止部２４を他方のグリップ２３側に設けられた係止孔部２５に係止することにより、ホースクランプＣを拡径状態に置くものとする。しかし、本実施例にあっては、本体部１にホースクランプＣの締付リング２１を装着できれば目的を達成することができるので、ホースクランプＣは、ホルダーレスタイプのものに限らず、ホルダータイプのものとすることも、実施に応じ任意である。
【００２４】
依って、上記構成の保持具を用いて、斯かるホースクランプＣをホース端部の正規取付位置に仮保持する場合には、図５に示す如く、まず、その一方のグリップ２２側の係止部２４を他方のグリップ２３側の係止孔部２５に係止する状態を得て、ホースクランプＣを拡径状態にセットした後、当該ホースクランプＣの締付リング２１を本体部１の開放された上面側から本体部１の内部に装着すると、締付リング２１側の三角窓２６と本体部１側の係止突起９とが係止して、図６に示す如く、ホースクランプＣの締付リング２１が位置決めされた状態で本体部１の内周面によって弾持される。尚、この時の保持具は、図示する如く、その左右一対の腕部２を開状態となしたまま、即ち、成形状態のままである。
【００２５】
そこで、今度は、この状態のまま、ホースＨの端部にホースクランプＣの締付リング２１を外嵌すると、図７に示す如く、本体部１側の位置決め片６がホースＨの端面に当接して、それ以上の押し込みが阻止されるので、これにより、ホースクランプＣは、ホースＨ端部の正規取付位置に自動的に位置決めされることとなるが、この外嵌時には、既述した如く、左右一対の腕部２が開状態に置かれている関係で、従来とは異なり、当該各腕部２の存在が邪魔となることが全くなくなるので、外嵌作業が頗る容易となる。
【００２６】
従って、後は、この開状態にある一対の腕部２の基板４に設けられている各操作片１２を摘んで、当該各腕部２の基板４を閉方向に薄肉ヒンジ３を介して回動させると、図８・図９に示す如く、ロック手段を構成する本体部１側の第一ロック爪７が腕部２の基板４側の第一ロック孔１０に係合して、一対の腕部２が本体部１側に閉状態をもってロックされることとなるので、これにより、各腕部２の４本の抱持片５でホースＨの外周面を弾性的に抱持することとなる。又、２本の抱持片５の先端部に設けられている各位置決め片１３もホースＨの端面に当接することとなるので、これによっても、ホースクランプＣは、ホースＨ端部の正規取付位置に確実に位置決めされると同時に、４本の抱持片５の基端部側の立ち上がった部分５ａで、ホースＨの外周面を挾持することができると共に、そこから続く自由端側でホースＨの外周面を弾性的に抱持するので、抱持状態が頗る安定して、ホースクランプＣは、回り止めと軸方向への位置ズレが併せて規制された状態をもって、ホースＨ端部の正規取付位置に確実に仮保持されることになる。
【００２７】
又、この時には、本体部１１側の第二ロック爪８も各腕部２の基板４側に設けられた第二ロック孔１１と係合することとなるので、これにより、ロック状態が更に補強されて、腕部２を本体部１側に強固にロックできる結果、例え、薄肉ヒンジ３が破断したとしても、第一ロック爪７と第二ロック爪８とが協働して、各腕部２の脱落を有効に防止することができる。これに加えて、第二ロック爪８は、第一ロック爪７よりも薄肉ヒンジ３寄りに設けられ、且つ、第二ロック爪８の先端に鉤形状が付与されている関係で、薄肉ヒンジ３寄りで第二ロック爪８と第二ロック孔１１とが係合するので、各腕部２の脱落をより一層確実に防止することができる。
【００２８】
そして、最終的には、具体的には図示しないが、従来と同様に、斯かる状態を得た後は、パイプＰの先端をホースＨの端部内に強制的に嵌め込んで、ホースクランプＣの一方のグリップ２２側の係止部２４と他方のグリップ２３側の係止孔部２５との係止状態を解除すれば、これにより、ホースＨをパイプＰに対して締付固定できる訳であるが、本実施例にあっては、例え、４本の抱持片５がホースＨの外周面を抱持していても、当該抱持片５は弾性形状と呈して変形できるので、ホースＨの内部にパイプＰを嵌め込む時には、抱持片５が自由状態に拡がって、パイプＰの円滑な嵌め込みを許容する。尚、この場合、保持具自体は、そのままホースＨ上に留め置かれることとなる。
【産業上の利用可能性】
【００２９】
本発明に係るホースクランプの保持具は、ホースの外周面を抱持する抱持片を有する腕部をヒンジを介して本体部に対して開状態に置くことを可能として、ホース端部の外嵌作業時に、当該腕部が邪魔となることを有効に防止できるので、これを、各種ホースクランプに適用すれば、頗る好都合なものとなる。
【図面の簡単な説明】
【００３０】
【図１】本発明の実施例に係る保持具を示す斜視図である。
【図２】（Ａ）は同保持具の正面図、（Ｂ）は平面図である。
【図３】図１のＡ−Ａ線断面図である。
【図４】一対の腕部を本体部側にロックした状態を示す断面図である。
【図５】保持具とホースクランプとの関係を示す斜視図である。
【図６】保持具の本体部にホースクランプの締付リングを装着した状態を示す斜視図である。
【図７】ホースクランプの締付リングを保持具と一緒にホースの端部に外嵌した状態を示す斜視図である。
【図８】拡径状態にあるホースクランプをホース端部の正規取付位置に仮保持した状態を示す斜視図である。
【図９】図８のＢ−Ｂ線断面図である。
【符号の説明】
【００３１】
１    本体部
１ａ  巾広部分
１ｂ  巾狭部分
２    腕部
３    薄肉ヒンジ（ヒンジ）
４    基板
５    抱持片
５ａ  抱持片の基端
６    位置決め片
７    第一ロック爪（ロック手段）
８    第二ロック爪
９    係止突起
１０  第一ロック孔（ロック手段）
１１  第二ロック孔
１２  操作片
１３  位置決め片
２１  締付リング
２２  一方のグリップ
２３  他方のグリップ
２４  係止部
２５  係止孔部
２６  三角窓
Ｃ    ホースクランプ
Ｈ    ホース
Ｐ    パイプ
【図１】
0004960787.tif 000002
【図２】
0004960787.tif 000003
【図３】
0004960787.tif 000004
【図４】
0004960787.tif 000005
【図５】
0004960787.tif 000006
【図６】
0004960787.tif 000007
【図７】
0004960787.tif 000008
【図８】
0004960787.tif 000009
【図９】
0004960787.tif 000010